(57)【要約】【課題】コンクリートプラント及び吹き付け装置の両方にセメントを簡易に供給することができる横型移動タンクを提供する。【解決手段】横型移動タンクは、第１タンク本体１１と、第１タンク本体１１内に収容されたセメントを輸送する横スクリューコンベヤ１２及び縦スクリューコンベヤ１５と、縦スクリューコンベヤ１５の下流側に設けられる供給部とを備える第１移動タンク１０を備えている。供給部は、コンクリートプラントへセメントを供給するための第１供給部と、吹き付け装置へセメントを供給するための第２供給部とを備えている。【選択図】図３
0003190023.tif 000002
【実用新案登録請求の範囲】
【請求項１】
トンネル内においてセメントを貯蔵するために用いられる横型移動タンクであって、
前後方向に延びる横長の第１タンク本体と、前記第１タンク本体内に収容されたセメントを後端側から前端側へ輸送する第１横方向輸送部と、前記第１タンク本体の前端側に配置され、前記第１横方向輸送部により輸送されたセメントを上方へ輸送する第１縦方向輸送部と、前記第１縦方向輸送部の下流側に設けられる供給部とを備える第１移動タンクを備え、
前記供給部は、コンクリートプラントへセメントを供給するための第１供給部と、吹き付けコンクリートを製造する吹き付け装置へセメントを供給するための第２供給部とを備えることを特徴とする横型移動タンク。
【請求項２】
前記第１供給部は、前記第１縦方向輸送部に接続される第１供給管と、前記第１供給管に接続される第１貯留部と、前記第１貯留部内を加圧する加圧部と、第１貯留部からコンクリート用のプラントへセメントを輸送する輸送管とを備え、
前記第２供給部は、前記第１縦方向輸送部に接続される第２供給管と、前記第２供給管に接続されるとともに前記吹き付け装置に接続される第２貯留部と、前記第２貯留部内のセメント量を計量する計量器とを備えることを特徴とする請求項１に記載の横型移動タンク。
【請求項３】
前記第１移動タンクの後方に配置される第２移動タンクを備え、
前記第２移動タンクは、前後方向に延びる横長の第２タンク本体と、前記第２タンク本体内に収容されたセメントを後端側から前端側へ輸送する第２横方向輸送部と、前記第２タンク本体の前端側に配置され、前記第２横方向輸送部により輸送されたセメントを上方へ輸送する第２縦方向輸送部とを備え、
前記第１移動タンクにおける前記第１タンク本体の後端側の部位には、内部にセメントを充填するための充填部が設けられるとともに、前記第２移動タンクにおける前記第２縦方向輸送部の下流側には、前記充填部に対して分離可能に接続される接続部が設けられていることを特徴とする請求項１又は請求項２に記載の横型移動タンク。
【請求項４】
前記充填部は、前記第１タンク本体の後端に取り付けられるとともに、前記接続部に接続される充填管と、前記充填管内に配置され、前記接続部を通じて前記充填管内に供給されたセメントを前記第１タンク本体側へ輸送する補助輸送部とを備えることを特徴とする請求項３に記載の横型移動タンク。
【請求項５】
前記第１横方向輸送部は、前記第１タンク本体の下部に配置されたスクリューコンベアであり、
前記第１タンク本体には、前記スクリューコンベアへのセメントの流入を制限する遮蔽部材が設けられていることを特徴とする請求項１〜４のいずれか一項に記載の横型移動タンク。
【考案の詳細な説明】
【技術分野】
【０００１】
本考案は、トンネル内においてセメントを貯蔵するために用いられる横型移動タンクに関する。
【背景技術】
【０００２】
セメントを貯蔵する移動タンクは、必要に応じてトラック等により工事現場まで運搬され、工事期間中のみ工事現場に設置して使用されている。上記移動タンクとして、横長に形成されたタンク本体を備える横型移動タンクが知られている（例えば、特許文献１参照）。横型移動タンクは、トンネル工事のように設置スペースに制限がある場合、特に設置高さに制限がある場合に好適に用いられている。トンネル工事において、横型移動タンク内のセメントは、トンネル内に設置されたコンクリートプラント等に供給されて、トンネルの周壁を固めるコンクリートとして使用される。
【先行技術文献】
【特許文献】
【０００３】
【特許文献１】特開２０００−５３１８９号公報
【考案の概要】
【考案が解決しようとする課題】
【０００４】
ところで、トンネル内において横型移動タンク内のセメントは、コンクリートプラントのみならず、吹き付けコンクリートを製造する吹き付け装置にも供給されて使用されるが、トンネル内という制限された空間では、トンネル内にコンクリートプラント用の移動タンクと吹き付け装置用の移動タンクを横に並べて設置することは困難である。そのため、コンクリートプラント及び吹き付け装置の両方にセメントを供給する場合には、トンネル内に設置された一台の移動タンクの輸送管の先端を付け替えて、コンクリートプラントと吹き付け装置との間で供給先を切り替える必要があった。
【０００５】
本考案は、こうした従来の実情に鑑みてなされたものであり、その目的は、コンクリートプラント及び吹き付け装置の両方にセメントを簡易に供給することのできる横型移動タンクを提供することにある。
【課題を解決するための手段】
【０００６】
上記の目的を達成するために請求項１の横型移動タンクは、トンネル内においてセメントを貯蔵するために用いられる横型移動タンクであって、前後方向に延びる横長の第１タンク本体と、前記第１タンク本体内に収容されたセメントを後端側から前端側へ輸送する第１横方向輸送部と、前記第１タンク本体の前端側に配置され、前記第１横方向輸送部により輸送されたセメントを上方へ輸送する第１縦方向輸送部と、前記第１縦方向輸送部の下流側に設けられる供給部とを備える第１移動タンクを備え、前記供給部は、コンクリートプラントへセメントを供給するための第１供給部と、吹き付けコンクリートを製造する吹き付け装置へセメントを供給するための第２供給部とを備えることを特徴とする。
【０００７】
特に、前記第１供給部は、前記第１縦方向輸送部に接続される第１供給管と、前記第１供給管に接続される第１貯留部と、前記第１貯留部内を加圧する加圧部と、第１貯留部からコンクリート用のプラントへセメントを輸送する輸送管とを備え、前記第２供給部は、前記第１縦方向輸送部に接続される第２供給管と、前記第２供給管に接続されるとともに前記吹き付け装置に接続される第２貯留部と、前記第２貯留部内のセメント量を計量する計量器とを備えることが好ましい。
【０００８】
上記構成によれば、コンクリートプラントと吹き付け装置との間で、セメントを供給する輸送管の先端を付け替える等の操作を行う必要がなく、コンクリートプラント及び吹き付け装置の両方にセメントを簡易に供給することができる。
【０００９】
上記横型移動タンクにおいて、前記第１移動タンクの後方に配置される第２移動タンクを備え、前記第２移動タンクは、前後方向に延びる横長の第２タンク本体と、前記第２タンク本体内に収容されたセメントを後端側から前端側へ輸送する第２横方向輸送部と、前記第２タンク本体の前端側に配置され、前記第２横方向輸送部により輸送されたセメントを上方へ輸送する第２縦方向輸送部とを備え、前記第１移動タンクにおける前記第１タンク本体の後端側の部位には、内部にセメントを充填するための充填部が設けられるとともに、前記第２移動タンクにおける前記第２縦方向輸送部の下流側には、前記充填部に対して分離可能に接続される接続部が設けられていることが好ましい。
【００１０】
ところで、トンネル工事の途中に、横型移動タンク内のセメントを使い切った場合には、再度、横型移動タンクにセメントを充填する作業が行われる。このセメントの充填作業は、トンネルの入り口、又はトンネルの途中に設けられたセメントの充填場所まで横型移動タンクを移動させて、セメント運搬車両等からセメントを充填することにより行われる。そのため、横型移動タンクへの充填作業中は、コンクリートプラント等にセメントを供給することができなくなる。
【００１１】
上記構成によれば、横型移動タンクへのセメントの充填作業時に、第１移動タンクから第２移動タンクを切り離して、第２移動タンクのみを所定の充填場所まで移動させて第２移動タンクに対してセメントの充填を行うことができる。そのため、充填作業においても、第１移動タンクは作業現場に残されることになり、第１移動タンクからコンクリートプラント等のコンクリートを調製する装置へのセメントの供給を継続して行うことができる。
【００１２】
上記横型移動タンクにおいて、前記充填部は、前記第１タンク本体の後端に取り付けられるとともに、前記接続部に接続される充填管と、前記充填管内に配置され、前記接続部を通じて前記充填管内に供給されたセメントを前記第１タンク本体側へ輸送する補助輸送部とを備えることが好ましい。
【００１３】
この場合には、第２移動タンクから第１移動タンクへセメントを効率よく送ることができる。
上記横型移動タンクにおいて、前記第１横方向輸送部は、前記第１タンク本体の下部に配置されたスクリューコンベアであり、前記第１タンク本体には、前記スクリューコンベアへのセメントの流入を制限する遮蔽部材が設けられていることが好ましい。
【００１４】
この場合には、第１横方向輸送部であるスクリューコンベアに作用する負荷が低減される。そのため、スクリューコンベアを駆動させるための駆動手段として、出力の小さいものを採用することが可能になる。
【考案の効果】
【００１５】
本考案の横型移動タンクによれば、コンクリートプラント及び吹き付け装置の両方にセメントを簡易に供給することができる。
【図面の簡単な説明】
【００１６】
【図１】横型移動タンクの側面図。
【図２】第１移動タンクの側面図。
【図３】第１移動タンクの正面図。
【図４】第２移動タンクの側面図。
【図５】第２移動タンクの正面図。
【図６】変更例における第１移動タンクの部分断面図。
【考案を実施するための形態】
【００１７】
以下、実施形態の横型移動タンクを図面に基づいて説明する。
図１に示すように、横型移動タンクは、前後方向に並設される第１移動タンク１０及び第２移動タンク４０を備えている。
【００１８】
図２及び図３に示すように、第１移動タンク１０は、前後方向に延びる横長箱状の第１タンク本体１１を備えている。第１タンク本体１１の底部は、両側から中央側に向かって下方に傾斜する傾斜面状に形成されるとともに、第１タンク本体１１の底部中央には、前後方向に延びる二本の横スクリューコンベヤ１２（第１横方向輸送部）が取り付けられている。横スクリューコンベヤ１２の後端部は、第１タンク本体１１の後端側の端壁外面に取り付けられたモータ１３に駆動連結されている。二本の横スクリューコンベヤ１２の前端部は、第１タンク本体１１の前端側の端壁から外部へ延設されるとともに、連通管１４によって互いに接続されている。
【００１９】
図３に示すように、第１移動タンク１０の前端側の外部には、連通管１４と交差して上下方向に延びる縦スクリューコンベヤ１５（第１縦方向輸送部）が取り付けられている。縦スクリューコンベヤ１５の下端部は、縦スクリューコンベヤ１５の下側に配置されるモータ１６に駆動連結されている。
【００２０】
縦スクリューコンベヤ１５の上部には、側方へ延びる第１供給管１７の一端が接続されている。第１供給管１７には、開閉弁１８が設けられるとともに、第１供給管１７の他端には、セメントを貯留するためのチャージタンク１９（第１貯留部）が接続されている。チャージタンク１９の下端部は、開閉弁２０を介して輸送管２１が接続されている。
【００２１】
図２に示すように、第１タンク本体１１の後端側の端壁外面には、コンプレッサ２２（加圧部）が取り付けられている。コンプレッサ２２は、コンプレッサ２２とチャージタンク１９とを接続する加圧管２３を通じて、チャージタンク１９内に圧縮空気を供給する（図３参照）。本実施形態においては、第１供給管１７、チャージタンク１９、輸送管２１、及びコンプレッサ２２によって第１供給部が構成されている。
【００２２】
図３に示すように、縦スクリューコンベヤ１５の上部には、斜め下方へ延びる第２供給管２４の一端が接続されている。第２供給管２４には、開閉弁２５が設けられるとともに、第２供給管２４の他端には、セメントを貯留するための計量タンク２６（第２貯留部）が接続されている。計量タンク２６の下端部は、開閉弁２７を介して輸送管２８の一端に接続されている。また、計量タンク２６には、計量タンク２６内のセメント量を計量するロードセル等の計量器２９が取り付けられている。本実施形態においては、第２供給管２４、計量タンク２６、輸送管２８、計量器２９によって第２供給部が構成されている。
【００２３】
また、チャージタンク１９及び計量タンク２６と第１タンク本体１１との間には、チャージタンク１９及び計量タンク２６内のエアを排出するためのエア排出路３０がそれぞれ設けられている。なお、チャージタンク１９と第１タンク本体１１との間に設けられるエア排出路３０には、エア排出路３０を閉鎖可能な開閉弁（図示略）が設けられている。
【００２４】
図２に示すように、第１タンク本体１１の前端側の端壁の内面上部には、第１タンク本体１１内に貯蔵されたセメント量を示すレベル計３１が取り付けられている。また、第１タンク本体１１の上部には、第１タンク本体１１内にセメントを充填するための第１充填口３２が設けられている。そして、第１タンク本体１１の後端側の端壁の上部には、同じく第１タンク本体１１内にセメントを充填するための第２充填口３３が設けられている。
【００２５】
第２充填口３３には、前後方向に延びる充填管３４の前端部が接続されている。充填管３４の内部には、充填管３４に沿って延びる補助スクリューコンベヤ３５（補助輸送部）が取り付けられている。この補助スクリューコンベヤ３５は、モータ３６に駆動連結されている。本実施形態においては、第２充填口３３、充填管３４、及び補助スクリューコンベヤ３５によって充填部が構成されている。
【００２６】
図４及び図５に示すように、第２移動タンク４０は、前後方向に延びる横長箱状の第２タンク本体４１を備えている。第２タンク本体４１の底部は、両側から中央側に向かって下方に傾斜する傾斜面状に形成されるとともに、第２タンク本体４１の底部中央には、前後方向に延びる二本の横スクリューコンベヤ４２（第２横方向輸送部）が取り付けられている。横スクリューコンベヤ４２の後端部は、第２タンク本体４１の後端側の端壁外面に取り付けられたモータ４３に駆動連結されている。二本の横スクリューコンベヤ４２の前端部は、第２タンク本体４１の前端側の端壁から外部へ延設されるとともに、連通管４４によって互いに接続されている。
【００２７】
図５に示すように、第２移動タンク４０の前端側の外部には、連通管４４と交差して上下方向に延びる縦スクリューコンベヤ４５（第２縦方向輸送部）が取り付けられている。縦スクリューコンベヤ４５の下端部は、縦スクリューコンベヤ４５の下側に配置されるモータ４６に駆動連結されている。
【００２８】
図４に示すように、縦スクリューコンベヤ１５の上部には、前後方向に延びる接続管４８の後端部が接続されている。この接続管４８の前端部は、第１移動タンク１０の充填管３４の後端部に連結されている（図１参照）。したがって、本実施形態においては、接続管４８によって接続部が構成されている。
【００２９】
また、第２タンク本体４１の前端側の端壁の内面下部には、第２タンク本体４１内に貯蔵されたセメント量を示すレベル計４７が取り付けられている。第２タンク本体４１の上部には、第２タンク本体４１内にセメントを充填するための充填口４９が設けられている。
【００３０】
なお、図示は省略しているが、第１移動タンク１０及び第２移動タンク４０には、各移動タンクを支持するための架台がそれぞれ取り付けられている。
次に、本実施形態の作用について説明する。
【００３１】
本実施形態の横型移動タンクは、トンネル内において、コンクリートを調製する装置であるコンクリートプラント、及び吹き付けコンクリートを製造する吹き付け装置の近傍に設置されて、貯蔵されたセメントを必要に応じて各装置へ供給する。
【００３２】
先ず、第１移動タンク１０の横スクリューコンベヤ１２及び縦スクリューコンベヤ１５が駆動される。これにより、第１タンク本体１１内に貯蔵されたセメントが、横スクリューコンベヤ１２によって前方の縦スクリューコンベヤ１５側へ輸送されるとともに縦スクリューコンベヤ１５によって上方へ輸送される。そして、縦スクリューコンベヤ１５によって上方へ輸送されたセメントは、第１供給部を通じてコンクリートプラントへ供給されるとともに、第２供給部を通じて吹き付け装置へ供給される。
【００３３】
具体的には、縦スクリューコンベヤ１５によって上方へ輸送されたセメントは、第１供給管１７へと流れる。このとき、第１供給管１７の開閉弁１８は開状態とされるとともに、チャージタンク１９の下端部に設けられる開閉弁２０は閉状態とされている。そのため、第１供給管１７へと流れたセメントは、チャージタンク１９内に貯留される。そして、第１の所定量以上のセメントが貯留されると第１供給管１７の開閉弁１８は閉状態とされて、第１供給部は待機状態とされる。
【００３４】
コンクリートプラントへのセメントの供給が必要となった場合には、コンプレッサ２２が作動されて、チャージタンク１９内が加圧される。このとき、チャージタンク１９と第１タンク本体１１との間に設けられるエア排出路３０は、開閉弁（図示略）にて閉鎖状態とされている。そして、チャージタンク１９内が所定の加圧状態となったところで、開閉弁２０が解放される。これにより、チャージタンク１９内のセメントは輸送管２１の端部に接続されたコンクリートプラントへと空気輸送される。その後は再び開閉弁１８が開状態とされるとともに開閉弁２０が閉状態とされて、チャージタンク１９内にセメントが貯留される。
【００３５】
また、縦スクリューコンベヤ１５によって上方へ輸送されたセメントは、第１供給管１７へと流れるとともに第２供給管２４にも流れる。このとき、第２供給管２４の開閉弁２５は開状態とされるとともに、計量タンク２６の下端部に設けられる開閉弁２７は閉状態とされている。そのため、第２供給管２４へと流れたセメントは、計量タンク２６内に貯留される。
【００３６】
ここで、第２供給管２４の開閉弁２５は、計量タンク２６に取り付けられた計量器による計量結果と連動して、その開度が制御されている。具体的には、計量タンク２６内に貯留されたセメント量が第２の所定量に近づくにつれて、開閉弁２５の開度が小さくなるとともに、セメント量が第２の所定量となったタイミングで開閉弁２５が完全に閉状態となるように制御されている。そして、計量タンク２６内に第２の所定量のセメントが貯留された状態で、第２供給部は待機状態とされる。
【００３７】
吹き付け装置へのセメントの供給が必要となった場合には、開閉弁２７が解放されることにより、計量タンク２６内のセメントは、輸送管２８の端部に接続された吹き付け装置へと供給される。ここで、計量タンク２６から吹き付け装置へと供給されるセメント量は、計量タンク２６にて第２の所定量に精確に計量されているため、吹き付け装置において、そのまま吹き付けコンクリートを調製することができる。そのため、吹き付け装置側に計量器を設ける必要がない。なお、第２の所定量は、吹き付け装置において１回の吹き付けコンクリートの調製に必要となるセメント量に設定されている。その後は再び、開閉弁２５が開状態とされるとともに開閉弁２７が閉状態とされて、計量タンク２６内にセメントが貯留される。
【００３８】
また、第１移動タンク１０の第１タンク本体１１内に貯蔵されたセメントの大部分が使用されて、セメント量が所定量以下となったことがレベル計３１により検出されると、表示灯等の公知の報知手段によって、第１タンク本体１１内のセメントが少なくなっていることが作業者に伝えられる。これを受けて作業者は、第２移動タンク４０から第１移動タンク１０へセメントを移動させる作業を行う。
【００３９】
具体的には、第２移動タンク４０の横スクリューコンベヤ４２及び縦スクリューコンベヤ４５が駆動される。これにより、第２タンク本体４１内に貯蔵されたセメントが、横スクリューコンベヤ４２によって前方の縦スクリューコンベヤ４５側へ輸送されるとともに縦スクリューコンベヤ４５によって上方へ輸送される。
【００４０】
その結果、図１に示すように、第２タンク本体４１内のセメントが、接続管４８及び充填管３４を通じて第２充填口３３から第１タンク本体１１内に流れ込み、第１タンク本体１１内にセメントが充填される。なお、横スクリューコンベヤ４２及び縦スクリューコンベヤ４５の駆動と同時に、第１移動タンク１０の補助スクリューコンベヤ３５が駆動される。これにより、第２タンク本体４１から第１タンク本体１１へセメントを効率よく流れ込ませることができる。
【００４１】
そして、第１タンク本体１１内のセメント量が所定量以上となったことがレベル計３１により検出されると、表示灯等の公知の報知手段によって、第１タンク本体１１内にセメントが十分に充填されたことが作業者に伝えられる。これを受けて作業者は、第２移動タンク４０の横スクリューコンベヤ４２、縦スクリューコンベヤ４５、及び第１移動タンク１０の補助スクリューコンベヤ３５を停止させて、第２タンク本体４１から第１タンク本体１１へのセメントの充填を終了する。
【００４２】
また、第２タンク本体４１内に貯蔵されたセメントの大部分が第１タンク本体１１へと充填されて、セメント量が所定量以下となったことがレベル計４７により検出されると、表示灯等の公知の報知手段によって、第２タンク本体４１内のセメントが少なくなっていることが作業者に伝えられる。これを受けて作業者は、第２タンク本体４１内にセメントを充填する作業を行う。
【００４３】
このとき、第１移動タンク１０の充填管３４と第２移動タンク４０の接続管４８との連結を解除して、第１移動タンク１０と第２移動タンク４０とを切り離す。そして、第２移動タンク４０のみを所定の充填場所まで移動させ、セメント運搬車両等から充填口４９を通じて第２タンク本体４１内にセメントを充填する。セメントの充填後、第２移動タンク４０を元の設置位置へ移動させて、再び第１移動タンク１０の充填管３４と第２移動タンク４０の接続管４８とを連結させて、第１移動タンク１０と第２移動タンク４０と接続する。
【００４４】
このように、本実施形態の横型移動タンクによれば、横型移動タンクへの充填作業時、即ち第２移動タンク４０を所定の充填場所まで移動させて第２タンク本体４１内に充填を行う際においても、第１移動タンク１０は、第１タンク本体１１内にセメントが充填された状態で作業現場に残されることになる。そのため、第１移動タンク１０からコンクリートを調製する装置へのセメントの供給を継続して行うことができる。
【００４５】
なお、トンネル内においては、第１移動タンク１０の第１タンク本体１１へのセメントの充填は、第２充填口３３を通じて行われていたが、トンネルの外部又は所定の充填場所にて第１タンク本体１１にセメントを充填する場合には、第１充填口３２を通じて行うこともできる。
【００４６】
次に、本実施形態の効果について記載する。
（１）横型移動タンクは、第１タンク本体１１と、第１タンク本体１１内に収容されたセメントを輸送する横スクリューコンベヤ１２及び縦スクリューコンベヤ１５と、縦スクリューコンベヤ１５の下流側に設けられる供給部とを備える第１移動タンク１０を備えている。供給部は、コンクリートプラントへセメントを供給するための第１供給部と、吹き付け装置へセメントを供給するための第２供給部とを備えている。
【００４７】
上記構成によれば、コンクリートプラントと吹き付け装置との間で、セメントを供給する輸送管の先端を付け替える等の操作を行う必要がなく、コンクリートプラント及び吹き付け装置の両方にセメントを簡易に供給することができる。
【００４８】
（２）横型移動タンクは、第１移動タンク１０の後方に配置される第２移動タンク４０を備えている。第２移動タンク４０は、第２タンク本体４１と、第２タンク本体４１内に収容されたセメントを輸送する横スクリューコンベヤ４２及び縦スクリューコンベヤ４５とを備えている。第１移動タンク１０の第１タンク本体１１には、内部にセメントを充填するための充填部が設けられるとともに、第２移動タンク４０の縦スクリューコンベヤ４５の下流側には、充填部に対して分離可能に接続される接続部が設けられている。
【００４９】
上記構成によれば、横型移動タンクへの充填作業時、即ち第２移動タンク４０を所定の充填場所まで移動させて第２タンク本体４１内に充填を行う際においても、第１移動タンク１０からコンクリートを調製する装置へのセメントの供給を継続して行うことができる。
【００５０】
（３）充填部は、第１タンク本体１１の後端に取り付けられるとともに、接続部に接続される充填管３４と、充填管３４内に配置され、充填管３４内に供給されたセメントを第１タンク本体１１側へ輸送する補助スクリューコンベヤ３５とを備えている。
【００５１】
上記構成によれば、第２タンク本体４１から第１タンク本体１１へセメントを効率よく送ることができる。
なお、上記実施形態は、次のように変更して具体化することも可能である。また、次の変更例を互いに組み合わせ、その組み合わせ構成のように上記実施形態を変更することも可能である。
【００５２】
・  上記実施形態では、第１移動タンク１０の充填管３４内に補助スクリューコンベヤ３５を設けていたが、補助スクリューコンベヤ３５を省略してもよい。また、第２移動タンク４０の接続管４８内に補助スクリューコンベヤを設ける構成としてもよい。
【００５３】
・  第１移動タンク１０の充填部から充填管３４及び補助スクリューコンベヤ３５を省略して、第２移動タンク４０の接続管４８を第１移動タンク１０の第２充填口３３に直接接続する構成としてもよい。
【００５４】
・  上記実施形態では、第１移動タンク１０の供給部として、第１供給部と第２供給部とを設けていたが、第３、第４の供給部を更に設ける構成としてもよい。
・  第２供給部において、輸送管２８を省略して、計量タンク２６の下端部を吹き付け装置に直接、接続する構成としてもよい。
【００５５】
・  横型移動タンクの設置現場であるトンネル内に、輸送管と、その輸送管内に気体流を提供する装置（例えば、ブロワー）と、輸送管に被輸送物を所定量ずつ供給する供給装置（例えば、ロータリーフィーダ）とを備える空気輸送システムが設置されている場合がある。この場合には、第１供給部について、コンプレッサ２２を省略するとともにチャージタンク１９又は輸送管２１を空気輸送システムの供給装置に接続し、空気輸送システムを利用してコンクリートプラントへセメントを供給するようにしてもよい。
【００５６】
・  第２供給部について、第１供給部と同様に空気輸送により輸送する構成としてもよい。
・  上記実施形態では、作用者が操作を行うことによって、第２移動タンク４０から第１移動タンク１０へのセメントの充填が行われていたが、レベル計４７からの信号に基づいて自動的に行われる構成としてもよい。
【００５７】
・  上記実施形態では、第１タンク本体１１の底部に対して、第１横方向輸送部として二本の横スクリューコンベヤ１２を取り付けていたが、横スクリューコンベヤ１２の数は一本であってもよいし、三本以上であってもよい。第２タンク本体４１の底部に取り付けられる第２横方向輸送部についても同様である。
【００５８】
・  第１タンク本体１１の形状は特に限定されるものではなく、四角筒等の多角筒形状であってもよいし、円筒形状であってもよい。製造コストの観点においては、円筒形状とすることが好ましい。第２タンク本体４１についても同様である。
【００５９】
・  第２移動タンク４０を省略してもよい。
・  図６に示すように、第１タンク本体１１に対して、横スクリューコンベヤ１２へのセメントの流入を制限する遮蔽部材５０を設けてもよい。
【００６０】
図６に示す遮蔽部材５０は、第１タンク本体１１の下部に配置された横スクリューコンベヤ１２の上部（上側の周囲）を覆う略半円筒形をなす蓋状部材である。遮蔽部材５０には、内外を貫通する流入口５１が横スクリューコンベヤ１２の軸線方向に沿って複数、並設されている。
【００６１】
上記構成によれば、横スクリューコンベヤ１２は、第１タンク本体１１の底部分及び遮蔽部材５０によって、その周囲が覆われて、第１タンク本体１１内におけるセメントが充填されている部位から区画された状態とされる。そして、横スクリューコンベヤ１２には、遮蔽部材５０の流入口５１を通じてセメントが流入する。そのため、横スクリューコンベヤ１２の軸線方向の全体にわたってセメントが流入することが制限されて、横スクリューコンベヤ１２に作用する負荷が低減される。これにより、横スクリューコンベヤ１２を駆動するモータ１３として、より出力の小さいものを使用することも可能となる。さらには、第１移動タンク１０の小型化を図ることも容易となる。
【００６２】
なお、第２タンク本体４１に対して、同様の遮蔽部材５０を設けてもよい。
【符号の説明】
【００６３】
１０…第１移動タンク、１１…第１タンク本体、１２…横スクリューコンベヤ、１５…縦スクリューコンベヤ、１７…第１供給管、１９…チャージタンク、２２…コンプレッサ、２４…第２供給管、２６…計量タンク、２９…計量器、３４…充填管、３５…補助スクリューコンベヤ、４０…第２移動タンク、４１…第２タンク本体、４２…横スクリューコンベヤ、４５…縦スクリューコンベヤ、４８…接続管。
【図１】
0003190023.tif 000003
【図２】
0003190023.tif 000004
【図３】
0003190023.tif 000005
【図４】
0003190023.tif 000006
【図５】
0003190023.tif 000007
【図６】
0003190023.tif 000008